(57)【要約】      （修正有）【課題】経済的であり、かつ簡便に交換することができ、しかも確実に装着することができるブーツ飾り体を提供する。【解決手段】ブーツ１の足首部２に装着されるブーツ飾り体３は、ブーツの足首部２に巻き付け得るほどの長さを有する帯状片４と、この帯状片に取り付けられる飾り部５と、帯状片の両端部に設けられる1対の面ファスナーを備えている。この面ファスナーによってブーツ飾り体３をブーツ１足首部に確実にかつ簡便に装着することができ、交換もし易い。上記ブーツ飾り体３は複数用意され、この中から選択し複数タイプのブーツ飾り体付きブーツを得ることができ、経済的である。【選択図】図１
0003145543.tif 000002
【実用新案登録請求の範囲】
【請求項１】
ブーツの足首部に装着する飾り体であって、この飾り体はブーツの足首部に巻き付け得るほどの長さの帯状片を有しこれに飾り部が設けられていると共にその帯状片の端部に帯状片どうしを着脱可能に係合し得る面ファスナーを設けたことを特徴とするブーツ飾り体。
【請求項２】
飾り部がバックル状やリボン状あるいは草花状の形態に形成された請求項１に記載のブーツ飾り体。
【請求項３】
帯状片内に折り曲げ状態が保持し得るよう針金等の金属片を設けた請求項１または２に記載のブーツ飾り体。
【請求項４】
ブーツと、ブーツの足首部に巻き付け得るほどの長さの帯状片を有しこれに飾り部が設けられていると共にその帯状片の端部に帯状片どうしを着脱可能に係合し得る面ファスナーを設けた飾り体を備え、この飾り体を種類を違えて複数取り揃えこの飾り体から選択した飾り体をブーツの足首部に装着するようにしたことを特徴とするブーツ。
【請求項５】
飾り部がバックル状やリボン状あるいは草花状の形態に形成された請求項４に記載のブーツ。
【請求項６】
帯状片内に折り曲げ状態が保持し得るよう針金等の金属片を設けた請求項４または５に記載のブーツ。
【考案の詳細な説明】
【技術分野】
【０００１】
本考案は、ブーツの足首部に着脱可能に簡便に装着することができるブーツ飾り体に関し、かつ複数種類のブーツ飾り体を設けこれより選択してブーツの足首部に装着するようにしたブーツに関する。
【背景技術】
【０００２】
従来のブーツ飾りとして、ブーツ自体に直接飾り加工を施したものや、飾りが歩行中に外れないように飾りをブーツに固定したものが知られている。
このようにブーツに飾りを加工したものや飾りを固定したものは、一足のブーツに対して一種類の飾りが対応している状態であるので、飾りのバリエーションを変えたものを複数揃えるためには、複数のブーツを購入する必要があり大変不経済であった。また、複数のブーツを収納するために必然的に多くの収納スペースを必要とし、大型の下駄箱を用意しなければならなかった。
【考案の開示】
【考案が解決しようとする課題】
【０００３】
本考案は、このような従来の問題点を解消しようとするものであって、経済的であり、かつ飾りの交換が容易であって飾りを確実に装着することができるブーツ飾り体を提供しようとすると共に、この飾り体を複数用意することにより所望の複数タイプの飾り体を有するブーツを提供しようとするものである。
【課題を解決するための手段】
【０００４】
本考案は、ブーツの足首部に装着する飾り体であって、この飾り体は帯状片を有しこれに飾りを設けと共に帯状片の端部に面ファスナーを設けるようにしたものである。
また、ブーツと、上記飾り体を備え、この飾り体は異種のものを複数有しこの飾り体から選択してブーツの足首部に装着し複数種類の飾り体付きブーツを簡便かつ経済的に得ることができるようにしたものである。
更に、帯状片内に針金等の金属片を設け、飾り体がブーツの足首部に沿って保形できるようにしたものである。
上記飾り部は、バックル状やリボン状あるいは草花状等の形態に形成することができる。
【考案の効果】
【０００５】
本考案は、上記のように構成され、複数の異種のブーツ飾り体を選択的にブーツに装着することができ経済的であり、かつその飾り体の交換が容易であると共に、確実にしっかりと取り付けることができ、しかも飾り体が帯状片内の針金等の金属片によって保形され、飾り部がブーツを履いている間に変な位置に移動したりすることがないので、見栄えがよいと共に使い易い。
【考案を実施するための最良の形態】
【０００６】
上記ブーツには、ロングブーツやショートブーツ及び長靴が含まれる。また、このブーツ及びこれに用いるブーツ飾り体は、天然皮革、合成皮革、網布や織布等の布地、ゴム、プラスチック、金属（軽合金や貴金属を含む）、木材、竹材、骨材、ガラス材、宝玉その模造品その他の材料で形成することができる。
ブーツ飾り体は、帯状や紐状に形成した帯状片の適宜個所に飾り部が逢着・接着・溶着等の手段によって取り付けられ、その帯状片の両端部に１対の面ファスナ（ベルベット式ファスナー）が設けられる。この面ファスナは、その雄型部（鈎部）を帯状片の一方の端部に、雌型部（ループ部）を帯状片の他方の端部にそれぞれ逢着・接着・溶着等して取り付けられる。
ブーツ飾り体の飾り部は、ベルトのバックル状、リボン状、各種の花・草・葉等の草花状、幾何学図形その他の図形状、文字・ロゴ・記号状その他の形象・形態に形成され、これに適宜色彩や模様が施こされる。
上記ブーツ飾り体は、ブーツの足首部に、その飾り部が足首部の外側面部（通常はこの位置）や前後部に位置するように装着される。その際に帯状片の内部に針金等の金属片を挿入しておくと、ブーツ飾り体をブーツの足首部に装着した際に、足首部に沿って折り曲げられるので飾り部が所定の位置に保持され、ブーツの使用中に飾り部が移動することがない。針金の場合は、帯状片の側縁内部に設けておくのが好ましい。
【実施例】
【０００７】
ブーツ１の足首部２に装着されるブーツ飾り体３は、ブーツの足首部２に巻き付け得るほどの長さを有する帯状片４と、この帯状片に取り付けられる飾り部５と、帯状片の両端部に設けられる1対の面ファスナー６を備えている。
【０００８】
図２に示すブーツ飾り体３は、帯状片４が皮革片でベルト状に形成されており、これにバックル状に形成された飾り部５が設けられている。この場合、上記飾り部５を金属で形成しその表面に適宜メッキ等の防錆加工が施こされる。なお、上記帯状片４及び飾り部５の表面には、適宜、防水加工を施すことができる。
【０００９】
図３に示すブーツ飾り体３は、皮革片を結束してリボン状に形成した飾り部５を有するもので、この飾り部を皮革製の帯状片４に逢着している。なお、上記帯状片４及び飾り部５の表面には、適宜、防水加工を施すことができる。
【００１０】
図４に示すブーツ飾り体３は、皮革片で花状に形成した飾り部５を有し、この飾り部を皮革製の帯状片４に逢着している。なお、この帯状片４及び飾り部５の表面には、適宜防水加工を施すことができる。
【００１１】
上記ブーツ飾り体３は、上記例の他に各種の形態のものが形成される。
これらのブーツ１及びブーツ飾り体３は、下記のようにして種々の店舗内で販売することができる。
例えば、店内において、図５に示すように色や形等のデザインが相違する各種形態のブーツ１を棚７に陳列すると共に、このブーツの足首部２に装着するブーツ飾り体３を上記の例やその他の各種形態のものを取り揃えて上記ブーツの棚７に隣接した棚８に陳列しておく。その際に、上記棚７，８の前面に展示台９を設け、これにブーツ１にブーツ飾り体３を装着したものを展示しておくと、商品の使用状態を一見することができ多くの顧客へアピールすることができる。
【００１２】
顧客は、上記棚より好みのデザインのブーツ１と、ブーツの足首部２に装着するブーツ飾り体３を数種類選択して購入する。これによって、顧客は、1足のブーツに対して複数のデザインのブーツ飾り体３を得ることができ、上記ブーツ飾り体３の中から適宜選択してデザインが相違する複数のタイプのブーツを容易に得ることができるので、従来のように数種類のブーツを購入する必要がなく、経済的である。
【００１３】
上記ブーツ１にブーツ飾り体３を装着する際は、このブーツ飾り体３をブーツ１の足首部２の周囲に巻き、飾り体３の帯状片４の端部に設けた面ファスナー６を結合して保定するようにする。ブーツ飾り体３は、この面ファスナー６によってブーツ１の足首部２にしっかりと止めることができ、また、ブーツ飾り体３の交換は、面ファスナー６の脱着によって簡便に行うことができる。
【図面の簡単な説明】
【００１４】
【図１】ブーツにブーツ飾り体を装着した状態を示す斜面図である。
【図２】ブーツ飾り体の平面図である。
【図３】ブーツ飾り体の他の例を示す平面図である。
【図４】ブーツ飾り体の更に他の例を示す平面図である。
【図５】ブーツ及びブーツ飾り体を陳列する棚及び展示台を示す斜面図である。
【符号の説明】
【００１５】
１  ブーツ    ２  足首部    ３  ブーツ飾り体    ４  帯状片    ５  飾り部    ６  面ファスナー    ７、８  棚    ９  展示台
【図１】
0003145543.tif 000003
【図２】
0003145543.tif 000004
【図３】
0003145543.tif 000005
【図４】
0003145543.tif 000006
【図５】
0003145543.tif 000007